【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
転写材に転写されるトナー像を担持する像担持体としての、導電性支持体及び該導電性支持体上に形成された感光層を有する電子写真感光体と、該トナー像が該転写材に転写された後の該電子写真感光体の表面の付着物を該電子写真感光体の表面から除去するクリーニング手段とを有する電子写真装置であって、
該電子写真感光体の表面層は、二つ以上の連鎖重合性官能基を有する化合物を電子線の照射により硬化させることによって形成された層であり、該トナー像を形成するトナーとして、炭化水素系ワックスを含有するトナーが用いられる電子写真装置において、
該クリーニング手段は、該電子写真感光体の表面を摺擦するブラシ部材と、該ブラシ部材によって摺擦された該電子写真感光体の表面に当接するクリーニング部材とを有し、
該ブラシ部材は、繊維の太さが４〜３０Ｄ／Ｆ（デニール／フィラメント）であって、ブラシ密度が１万〜４０万本／平方インチであることを特徴とする電子写真装置。
【請求項２】
前記炭化水素系ワックスの示差走査熱量測定によって測定される昇温時の吸熱曲線において、最大吸熱ピークの極大値が６０〜１２０℃にある請求項１に記載の電子写真装置。
【請求項３】
前記クリーニング手段が前記ブラシ部材に潤滑材を塗布する手段をさらに有する請求項１又は２に記載の電子写真装置。
【請求項４】
前記クリーニング部材が弾性を有するゴムブレードであり、該ゴムブレードが前記電子写真感光体に接触して設けられている請求項１〜３のいずれかに記載の電子写真装置。  
【請求項５】
前記クリーニング部材が前記ブラシ部材に当接するスクレープ部材をさらに有し、
前記ブラシ部材の前記電子写真感光体に対する侵入量αと、該スクレープ部材の前記ブラシ部材に対する侵入量βとの関係がα≧βである請求項１〜４のいずれかに記載の電子写真装置。
【請求項６】
前記電子写真感光体と前記ブラシ部材との当接部において、前記ブラシ部材が前記電子写真感光体の移動方向と逆方向に移動し、前記電子写真感光体の移動速度に対する前記ブラシ部材の移動速度の比が１２０〜３００％である請求項１〜５のいずれかに記載の電子写真装置。
【請求項７】
前記ブラシ部材が、固有抵抗率が１０３〜１０８Ω・ｃｍの導電性繊維で形成されている請求項１〜６のいずれかに記載の電子写真装置。
【手続補正２】
【補正対象書類名】明細書
【補正対象項目名】００１７
【補正方法】変更
【補正の内容】
【００１７】
上記目的は本発明の電子写真装置を用いることにより達成される。すなわち、転写材に転写されるトナー像を担持する像担持体としての、導電性支持体及び該導電性支持体上に形成された感光層を有する電子写真感光体と、該トナー像が該転写材に転写された後の該電子写真感光体の表面の付着物を該電子写真感光体の表面から除去するクリーニング手段とを有する電子写真装置であって、該電子写真感光体の表面層は、二つ以上の連鎖重合性官能基を有する化合物を電子線の照射により硬化させることによって形成された層であり、該トナー像を形成するトナーとして、炭化水素系ワックスを含有するトナーが用いられる電子写真装置において、該クリーニング手段は、該電子写真感光体の表面を摺擦するブラシ部材と、該ブラシ部材によって摺擦された該電子写真感光体の表面に当接するクリーニング部材とを有し、該ブラシ部材は、繊維の太さが４〜３０Ｄ／Ｆ（デニール／フィラメント）であって、ブラシ密度が１万〜４０万本／平方インチ（１．５×１０３〜６．２×１０４本／平方センチメートル）である電子写真装置で達成される。
【手続補正３】
【補正対象書類名】明細書
【補正対象項目名】００２７
【補正方法】変更
【補正の内容】
【００２７】
本発明によれば、トナー像の転写後において、クリーニング部材による像担持体の表面のクリーニング前に、ブラシ部材によって像担持体の表面を摺擦することから、像担持体の表面の付着物の中でも、ハーフトーン画像上における白抜け画像欠陥の原因と考えられる、トナー中の炭化水素系ワックス由来の付着物を一画像形成サイクルでほぼ除去することができることから、二つ以上の連鎖重合性官能基を含む化合物を電子線硬化により形成する表面層を持つ電子写真感光体を用い、彩度、ガサツキ、ＯＨＰ透過性に優れ、オイルレス定着システムを達成できる、炭化水素系ワックス含有トナーを用いた電子写真装置において、耐久でハーフトーン画像上の白抜け等の画像欠陥が生じない、高耐久、高画質な画像を形成することができる
【手続補正４】
【補正対象書類名】明細書
【補正対象項目名】００２９
【補正方法】変更
【補正の内容】
【００２９】
また本発明では、クリーニング手段がブラシ部材に潤滑剤を塗布する手段をさらに有すると、ブラシ部材及び電子写真感光体の表面に潤滑剤が塗布され、前記付着物の除去効果
を高める観点からより一層効果的である。
【手続補正５】
【補正対象書類名】明細書
【補正対象項目名】００３１
【補正方法】変更
【補正の内容】
【００３１】
また本発明では、クリーニング手段がブラシ部材に当接するスクレープ部材をさらに有し、ブラシ部材の電子写真感光体に対する侵入量が、該スクレープ部材のブラシ部材に対する侵入量以上であると、スクレープ部材で除去されずにブラシ部材に残されているトナーやトナーの外添剤と共に、電子写真感光体の表面をブラシ部材で一様に摺擦でき、前記付着物の除去効果を高める観点から、より一層効果的である。
【手続補正６】
【補正対象書類名】明細書
【補正対象項目名】００３２
【補正方法】変更
【補正の内容】
【００３２】
また本発明では、ブラシ部材と電子写真感光体との当接部において、ブラシ部材を電子写真感光体の移動方向に対して逆方向に移動させ、かつ電子写真感光体の移動速度に対するブラシ部材の移動速度の比が１２０〜３００％であると、前記付着物の除去効果を高める観点からより一層効果的である。
【手続補正７】
【補正対象書類名】明細書
【補正対象項目名】００３３
【補正方法】変更
【補正の内容】
【００３３】
また本発明では、固有抵抗率が１０３〜１０８Ω・ｃｍの導電性繊維でブラシ部材を形成すると、ブラシ部材による電子写真感光体の表面の摺擦に伴う前記付着物の再帯電が防止され、又は前記摺擦によって付着物が除電され、クリーニング部材に前記ゴムブレードを用いる場合等において、前記付着物の除去効果を高める観点からより一層効果的である。
【手続補正８】
【補正対象書類名】明細書
【補正対象項目名】００３４
【補正方法】変更
【補正の内容】
【００３４】
本発明の電子写真装置は、転写材に転写されるトナー像を担持する像担持体と、トナー像が転写された後の像担持体の表面の付着物を像担持体の表面から除去するクリーニング手段とを有する。本発明の電子写真装置は、これらの他に、像担持体にトナー像を形成す
るための手段や、トナー像を転写材に転写するための手段や、転写材に転写されたトナー像を転写材に定着させる手段等の各種手段を有していても良く、これらの手段については特に限定されない。
【手続補正９】
【補正対象書類名】明細書
【補正対象項目名】０１８２
【補正方法】変更
【補正の内容】
【０１８２】
次に本発明の電子写真装置の実施形態について説明する。まず本発明の電子写真装置の一実施の形態の構成を説明する。この画像形成装置は、図２に示すように、プリンタ部Ａと、このプリンタ部Ａの上に搭載した画像読み取り部（イメージスキャナ）Ｂとを有する。
【手続補正１０】
【補正対象書類名】明細書
【補正対象項目名】０１９９
【補正方法】変更
【補正の内容】
【０１９９】
次に、本発明における電子写真装置の動作を図面を参照して説明する。なお、本発明の電子写真装置は、画像の形成に関する公知の手段や装置を適宜用いることができ、本実施形態に限られるものではない。
【手続補正１１】
【補正対象書類名】明細書
【補正対象項目名】０２８４
【補正方法】変更
【補正の内容】
【０２８４】
【図１】本発明に用いられる、ブラシ部材を併設したクリーニング手段の構成の一例を概略的に示す図である。
【図２】本発明の電子写真装置の一例である、クリーニング手段を内蔵したフルカラー画像形成装置の構造の一例を概略的に示す図である。
【図３】図２に示す画像形成装置で行われる画像処理の一例を示すブロック図である。
【図４】図２に示す画像形成装置の露光装置の構成を概略的に示す図である。
【図５】図２に示す現像装置が有する現像器の構成の一例を概略的に示す図である。